【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
金銭取引における品目ごとの金額と前記金銭取引を識別する取引識別子とを含む債権データのリストである債権データリストと、前記品目ごとの前記金額と前記取引識別子とを含む債務データのリストである債務データリストと、を記憶する記憶部と、
前記債務データに基づいて第１の外部装置によってなされた送金処理に基づく入金金額と前記取引識別子とを含む入金情報を取得する入金情報取得部と、
前記送金処理に基づく前記取引識別子と同一の取引識別子を、前記記憶部に記憶された債権データリストに含まれる債権データにおいて検索し、検索された前記取引識別子に対応する前記債権データに含まれる前記金額と、前記送金処理に基づく前記入金金額と、を照合する照合部と、
を備えることを特徴とする債権債務管理装置。
【請求項２】
前記記憶部は、前記金銭取引における品目ごとの金額と、前記金銭取引を識別する取引識別子と、が記載された書類が撮像された画像と、前記画像から読み取られた前記品目ごとの前記金額と前記取引識別子とを含む債権データのリストである債権データリストと、前記画像から読み取られた前記品目ごとの前記金額と前記取引識別子とを含む債務データのリストである債務データリストと、を記憶する
ことを特徴とする請求項１に記載の債権債務管理装置。
【請求項３】
前記画像から前記品目ごとの前記金額と前記取引識別子と前記品目ごとの税率を読み取る読取部を有し、
前記記憶部は、前記読取部によって読み取られた前記品目ごとの前記税率を含む前記債権データのリストである前記債権データリストと、前記読取部によって読み取られた前記品目ごとの前記税率を含む債務データのリストである債務データリストと、を記憶する、
ことを特徴とする請求項２に記載の債権債務管理装置。
【請求項４】
前記品目ごとの前記金額と前記品目ごとの前記税率とに基づいて、前記税率ごとの税額を示す仕訳データを生成する仕訳データ生成部、
を備えることを特徴とする請求項３に記載の債権債務管理装置。
【請求項５】
前記仕訳データに基づいて申告処理を行う第２の外部装置へ、前記仕訳データを送信する第２の出力部、
を備えることを特徴とする請求項４に記載の債権債務管理装置。
【請求項６】
前記債権データに基づく、前記品目ごとの前記金額と前記取引識別子とに基づいて、電子請求書を生成する電子請求書生成部と、
生成された前記電子請求書を債務者に対応づけられた電子私書箱へ送信し、前記債務者に対応づけられた前記電子私書箱に格納された前記電子請求書を取得する電子私書箱連携部と、
を備えることを特徴とする請求項１から請求項３のうちいずれか１項に記載の債権債務管理装置。
【請求項７】
前記電子請求書生成部は、販売管理システムから送信された売掛債権データに基づく、前記品目ごとの前記金額と前記取引識別子とに基づいて、電子請求書を生成する
ことを特徴とする請求項６に記載の債権債務管理装置。
【請求項８】
前記電子請求書に対して、公的なタイムスタンプを付与するタイムスタンプ取得部、
を備えることを特徴とする請求項６に記載の債権債務管理装置。
【請求項９】
前記品目ごとの前記金額に基づく送金金額と、前記取引識別子と、を含む送金データを生成する送金データ生成部、
を備えることを特徴とする請求項１または請求項２に記載の債権債務管理装置。
【請求項１０】
前記品目ごとの前記税率に基づく送金金額を含む送金データを生成する送金データ生成部、
を備えることを特徴とする請求項３に記載の債権債務管理装置。
【請求項１１】
前記送金データに基づいて前記送金処理を行う前記第１の外部装置へ、前記送金データを送信する第１の出力部、
を備えることを特徴とする請求項９または請求項１０に記載の債権債務管理装置。
【請求項１２】
前記入金情報取得部によって取得される前記入金情報を示す画面である入出金明細照会画面と、前記入出金明細照会画面が示す前記送金処理に対応する請求書の請求書画像と、を紐づけるデータである税務申告データを生成する税務申告データ生成部と、
前記税務申告データを第３の外部装置へ送信する第３の出力部と、
を備えることを特徴とする請求項９または請求項１０に記載の債権債務管理装置。
【請求項１３】
前記請求書画像に対して、公的なタイムスタンプを付与するタイムスタンプ取得部、
を備えることを特徴とする請求項１２に記載の債権債務管理装置。
【請求項１４】
前記債権データリストに基づいて債権期日を管理する期日管理部、
を備えることを特徴とする請求項１または請求項２に記載の債権債務管理装置。
【請求項１５】
前記債務データリストに基づいて債務期日を管理する期日管理部、
を備えることを特徴とする請求項１または請求項２に記載の債権債務管理装置。
【請求項１６】
前記照合部は、前記入金情報取得部によって取得された前記入金金額と前記取引識別子とに基づいて入金消込を行う
ことを特徴とする請求項１または請求項２に記載の債権債務管理装置。
【請求項１７】
コンピュータによる債権債務管理方法であって、
記憶部が、金銭取引における品目ごとの金額と前記金銭取引を識別する取引識別子とを含む債権データのリストである債権データリストと、前記品目ごとの前記金額と前記取引識別子とを含む債務データのリストである債務データリストと、を記憶する記憶ステップと、
入金情報取得部が、前記債務データに基づいて外部装置によってなされた送金処理に基づく入金金額と前記取引識別子とを含む入金情報を取得する入金情報取得ステップと、
照合部が、前記送金処理に基づく前記取引識別子と同一の取引識別子を、前記記憶部に記憶された債権データリストに含まれる債権データにおいて検索し、検索された前記取引識別子に対応する前記債権データに含まれる前記金額と、前記送金処理に基づく前記入金金額と、を照合する照合ステップと、
を有することを特徴とする債権債務管理方法。
【請求項１８】
コンピュータに、
金銭取引における品目ごとの金額と前記金銭取引を識別する取引識別子とを含む債権データのリストである債権データリストと、前記品目ごとの前記金額と前記取引識別子とを含む債務データのリストである債務データリストと、を記憶する記憶ステップと、
前記債務データに基づいて外部装置によってなされた送金処理に基づく入金金額と前記取引識別子とを含む入金情報を取得する入金情報取得ステップと、
前記送金処理に基づく前記取引識別子と同一の取引識別子を、前記記憶ステップにおいて記憶された債権データリストに含まれる債権データにおいて検索し、検索された前記取引識別子に対応する前記債権データに含まれる前記金額と、前記送金処理に基づく前記入金金額と、を照合する照合ステップと、
を実行させるための債権債務管理プログラム。
【手続補正２】
【補正対象書類名】明細書
【補正対象項目名】０００８
【補正方法】変更
【補正の内容】
【０００８】
本発明は上述の課題を解決するためになされたものであり、本発明の一態様としては、金銭取引における品目ごとの金額と前記金銭取引を識別する取引識別子とを含む債権データのリストである債権データリストと、前記品目ごとの前記金額と前記取引識別子とを含む債務データのリストである債務データリストと、を記憶する記憶部と、前記債務データに基づいて第１の外部装置によってなされた送金処理に基づく入金金額と前記取引識別子とを含む入金情報を取得する入金情報取得部と、前記送金処理に基づく前記取引識別子と同一の取引識別子を、前記記憶部に記憶された債権データリストに含まれる債権データにおいて検索し、検索された前記取引識別子に対応する前記債権データに含まれる前記金額と、前記送金処理に基づく前記入金金額と、を照合する照合部と、を備えることを特徴とする債権債務管理装置である。
また、本発明の一態様としては、前記記憶部は、前記金銭取引における品目ごとの金額と、前記金銭取引を識別する取引識別子と、が記載された書類が撮像された画像と、前記画像から読み取られた前記品目ごとの前記金額と前記取引識別子とを含む債権データのリストである債権データリストと、前記画像から読み取られた前記品目ごとの前記金額と前記取引識別子とを含む債務データのリストである債務データリストと、を記憶することを特徴とする。
【手続補正３】
【補正対象書類名】明細書
【補正対象項目名】００２４
【補正方法】変更
【補正の内容】
【００２４】
本発明は上述の課題を解決するためになされたものであり、本発明の一態様としては、コンピュータによる債権債務管理方法であって、記憶部が、金銭取引における品目ごとの金額と前記金銭取引を識別する取引識別子とを含む債権データのリストである債権データリストと、前記品目ごとの前記金額と前記取引識別子とを含む債務データのリストである債務データリストと、を記憶する記憶ステップと、入金情報取得部が、前記債務データに基づいて外部装置によってなされた送金処理に基づく入金金額と前記取引識別子とを含む入金情報を取得する入金情報取得ステップと、照合部が、前記送金処理に基づく前記取引識別子と同一の取引識別子を、前記記憶部に記憶された債権データリストに含まれる債権データにおいて検索し、検索された前記取引識別子に対応する前記債権データに含まれる前記金額と、前記送金処理に基づく前記入金金額と、を照合する照合ステップと、を有することを特徴とする債権債務管理方法である。
【手続補正４】
【補正対象書類名】明細書
【補正対象項目名】００２５
【補正方法】変更
【補正の内容】
【００２５】
本発明は上述の課題を解決するためになされたものであり、本発明の一態様としては、コンピュータに、金銭取引における品目ごとの金額と前記金銭取引を識別する取引識別子とを含む債権データのリストである債権データリストと、前記品目ごとの前記金額と前記取引識別子とを含む債務データのリストである債務データリストと、を記憶する記憶ステップと、前記債務データに基づいて外部装置によってなされた送金処理に基づく入金金額と前記取引識別子とを含む入金情報を取得する入金情報取得ステップと、前記送金処理に基づく前記取引識別子と同一の取引識別子を、前記記憶ステップにおいて記憶された債権データリストに含まれる債権データにおいて検索し、検索された前記取引識別子に対応する前記債権データに含まれる前記金額と、前記送金処理に基づく前記入金金額と、を照合する照合ステップと、を実行させるための債権債務管理プログラムである。